(57)【要約】【課題】  梱包体内部でのねじれによるキンク等の発生を抑制することが可能な、偏平断面形状のケーブルに用いられるケーブル梱包体を提供する。【解決手段】  ケーブル束５は、ケーブル７が８の字巻きされて構成される。収容容器３の側面には、引き出し口９が設けられる。引き出し口９は、収容容器３内部のケーブル７を外部に引き出す部位であり、収容容器３の内部と外部とを連通する孔部である。ケーブル７の断面形状は偏平断面である。引き出し口９の高さをＨとし、ケーブル７の幅をＷとすると、Ｗ＞Ｈの関係を満たす。なお、厳密に回転を防止するためには、ケーブル７の断面における最も大きな幅（長方形断面形状であれば、長方形断面の対角線長さ）を長軸側の長さＬとし、この長さＬが引き出し口９の高さＨよりも長く設定されればよい。【選択図】図３
2012096827.tif 000002
【特許請求の範囲】
【請求項１】
非真円断面形状のケーブルを収容する収容容器と、
前記ケーブルを８の字状に巻きつけてなるケーブル束と、
を具備し、
前記収容容器には、前記ケーブルが引き出される非真円形状の引き出し口が設けられ、
前記引き出し口の短軸側の開口長さは、前記ケーブルの断面における最大径よりも小さく、
前記引き出し口において、前記ケーブルの軸方向を回転軸として前記ケーブルが所定角度以上回転することを防止可能であることを特徴とするケーブル梱包体。
【請求項２】
前記引き出し口は、前記ケーブルの軸方向を回転軸として回転可能な回転体に設けられ、前記回転体には、所定回転角度以上の回転を規制する回転規制部が設けられることを特徴とする請求項１記載のケーブル梱包体。
【請求項３】
前記収容容器の内部において、前記引き出し口にケーブルを誘導するガイドが設けられ、前記ガイドは所定の曲率で曲げられた筒状部材であり、前記ガイドの一端は前記引き出し口に対向するとともに、前記ガイドが前記ケーブルの軸方向を回転軸として回転可能であることを特徴とする請求項１または請求項２に記載のケーブル梱包体。
【請求項４】
前記引き出し口の外方には、前記ケーブルの引き出し方向に応じて変形可能な可撓管が設けられることを特徴とする請求項１から請求項３のいずれかに記載のケーブル梱包体。
【請求項５】
前記ケーブルは、断面中央に光ファイバ心線が配置され、その両端にテンションメンバが設けられることを特徴とする請求項１から請求項４のいずれかに記載のケーブル梱包体。
【発明の詳細な説明】
【技術分野】
【０００１】
本発明は、偏平断面形状のケーブルを収容するケーブル梱包体に関するものである。
【背景技術】
【０００２】
光ケーブル等は通常梱包体に収容されており、ケーブルを引き出しながら敷設作業等が行われる。梱包体内部のケーブルは、ケーブルの引き出し性を考慮して、ケーブルを８の字型に巻きつけた状態で収納容器に収容される場合がある。このような梱包体としては、容器側面の取り出し口からケーブルを取り出す際にケーブルを案内するためのガイド部材と、該ガイド部材を容器内におけるケーブルの残量に拘らず、容器の内側面における固定位置に常時維持するための保持プレートとを具える「８の字巻き」をしたケーブルの束を収納する梱包体がある（特許文献１）。
【先行技術文献】
【特許文献】
【０００３】
【特許文献１】特開２００１−６３７８４号公報
【発明の概要】
【発明が解決しようとする課題】
【０００４】
一方、このように用いられるケーブルには、テンションメンバが内蔵されている場合もある。テンションメンバが内蔵されるケーブルは曲げ剛性が高く、梱包体から引き出されたケーブルのねじれが梱包体の内部に伝播して、梱包体内部でのキンクの発生などが懸念される。
【０００５】
梱包体の内部においてケーブルにキンク等を生じると、ケーブルが内部で引っかかり、ケーブルを引き出すことが困難となるという問題がある。特に、８の字巻きされたケーブルにおいては、引き出す際に、ケーブルに対し、ケーブル軸方向を回転軸として両方向に往復回転が生じる場合がある。この際、ケーブルが例えば所定角度以上ねじれると、ケーブルにキンクが生じる可能性が高くなる。
【０００６】
一方、用いられるケーブルには、略円断面形状のケーブルのみではなく、偏平断面形状のケーブルが用いられる場合がある。このようなケーブルは、心線の両側にテンションメンバが配置された物が多く、このため、ケーブルの可撓性に対して方向性が生じる場合がある。このような偏平断面ケーブルは、ねじれによってキンクが生じやすく、梱包体からの引き出し性に問題が生じやすい。
【０００７】
本発明は、このような問題に鑑みてなされたもので、梱包体内部でのねじれによるキンク等の発生を抑制することが可能な、偏平断面形状のケーブルに用いられるケーブルの梱包体を提供することを目的とする。
【課題を解決するための手段】
【０００８】
前述した目的を達成するため、本発明は、非真円形状のケーブルを収容する収容容器と、前記ケーブルを８の字状に巻きつけてなるケーブル束と、を具備し、前記収容容器には、前記ケーブルが引き出される引き出し口が設けられ、前記引き出し口の短軸側の長さは、前記ケーブルの断面における最大径よりも小さく、前記引き出し口において、前記ケーブルの軸方向を回転軸として前記ケーブルが所定角度以上回転することを防止可能であることを特徴とするケーブル梱包体である。
【０００９】
ここで、非真円形状とは、略真円断面以外の断面形状のものであり、偏平断面形状や略矩形断面（略正方形）等の断面形状を指す。偏平断面形状とは、楕円形、長方形（角部がＲ形状のものを含む）その他、一方の方向の断面長さ（代表部の長さ）と、これと垂直な方向の断面長さとが異なるものであり、外周に突起や切欠などがある場合であっても、全体として、上記形状となれば、それらのものも含むものである。また、ケーブルの断面における最大径とは、ケーブル断面における外周の任意の２点を結ぶ直線の長さにおいて、最大となる長さを指す。
【００１０】
前記引き出し口は、前記ケーブルの軸方向を回転軸として回転可能な回転体に設けられ、前記回転体には、所定回転角度以上の回転を規制する回転規制部が設けられてもよい。
【００１１】
前記収容容器の内部において、前記引き出し口にケーブルを誘導するガイドが設けられ、前記ガイドは所定の曲率で曲げられた筒状部材であり、前記ガイドの一端は前記引き出し口に対向するとともに、前記ガイドが前記ケーブルの軸方向を回転軸として回転可能であってもよい。
【００１２】
前記引き出し口の外方には、前記ケーブルの引き出し方向に応じて変形可能な可撓管が設けられてもよい。
【００１３】
前記ケーブルは、断面中央に光ファイバ心線が配置され、その両端にテンションメンバが設けられるものであることが望ましい。
【００１４】
本発明によれば、偏平断面形状のケーブルを収容可能であり、ケーブルの引き出し口が偏平形状であり、引き出し口の短軸側の長さがケーブル断面における長軸側の幅よりも小さいため、ケーブルが引き出し口において回転することが防止され、確実にキンクの発生を抑制することができる。
【００１５】
また、引き出し口が回転体に設けられ、回転体が所定角度範囲の回転範囲に規制されることで、引き出し口から引き出されるケーブルが所定角度以上ねじれることを防止することができる。
【００１６】
また、収容容器の内部に、ケーブルを引き出し口まで誘導する湾曲した筒状のガイドが設けられ、ガイドが引き出し方向を軸として回転可能であれば、確実にケーブルを引き出し口に誘導することが可能であり、ケーブルに無理な力が生じることがない。
【００１７】
また、収容容器の引き出し口外方に、可撓性を有するパイプを設け、当該パイプ内にケーブルを挿通して引き出すことで、ケーブルを収容容器から引き出す方向によって、ケーブルが引き出し口に対して無理な力が付与されることがない。
【００１８】
このような、梱包体としては、断面中央に光ファイバ心線が配置され、その両端にテンションメンバが設けられるような、偏平断面形状において、可撓性に方向性があるようなケーブルに特に好適である。
【発明の効果】
【００１９】
本発明によれば、梱包体内部でのねじれによるキンク等の発生を抑制することが可能な、偏平断面形状のケーブルに用いられるケーブル梱包体を提供することができる。
【図面の簡単な説明】
【００２０】
【図１】ケーブル梱包体１を示す図。
【図２】ケーブル７を示す断面図。
【図３】ケーブル７と引き出し口９との関係を示す図で、図１のＡ部拡大図。
【図４】回転体１７を示す図。
【図５】ケーブル梱包体３０を示す側方断面図。
【図６】ケーブル梱包体４０を示す側方断面図
【発明を実施するための形態】
【００２１】
以下、本発明の実施の形態にかかるケーブル梱包体１について説明する。図１は、ケーブル梱包体１を示す斜視透視図である。ケーブル梱包体１は、主に収容容器３、ケーブル７のケーブル束５等から構成される。
【００２２】
ケーブル束５は、ケーブル７が８の字巻きされて構成される。収容容器３は、例えば段ボール製の箱であり、内部にケーブル束５を収容可能な大きさの略直方体形状の部材である。収容容器３の側面には、引き出し口９が設けられる。引き出し口９は、収容容器３内部のケーブル７を外部に引き出す部位であり、収容容器３の内部と外部とを連通する孔部である。
【００２３】
図２は、ケーブル７の軸方向に垂直な断面図である。ケーブル７は、略中央に光ファイバ心線１１が配置され、その両側方にテンションメンバ１３が配置される。テンションメンバ１３は、ケーブル７に作用する張力を負担する。テンションメンバ１３には、例えば亜鉛メッキ鋼線等の鋼線や、繊維強化プラスチック（ＦＲＰ）等を用いることができる。
【００２４】
ケーブル７は、光ファイバ心線１１およびテンションメンバ１３が被覆部１５で被覆される。被覆部１５は、例えば難燃ポリオレフィン等の熱可塑性樹脂を用いることができる。なお、被覆部１５は、テンションメンバ１３の並設方向にやや長い略長方形断面であり、長辺側の外周の略中央には、ノッチが形成される、ノッチは、内部の光ファイバ心線１１を取り出す際に、被覆部１５を切り裂くための起点部である。ケーブル７としては、例えば１．６ｍｍ×２．０ｍｍであり、内部に０．５Φのテンションメンバ１３が設けられるものが使用できる。なお、ケーブル７の曲げ剛性（ＩＥＣ６０７９４−１−２
Ｅ１７Ｃ準拠 Ｄ＝４０ｍｍにて実施）は、例えば９２ｇｆ（９０．２ｃＮ）程度である。
【００２５】
なお、ケーブル７の断面構成は上記に限らないが、本発明においては、ケーブル断面形状は偏平断面や略正方形等の非真円形状である。ここで、偏平断面とは、図２に示すような略長方形（角部がＲ形状のものを含む）や楕円形、矩形や多角形と楕円との複合形状など、軸方向に垂直な断面において縦方向の長さと横方向の長さとが異なるものであり、略円断面形状のものを除く形状である。
【００２６】
ケーブル７をケーブル束５とするためには、ケーブル７を例えば樽状のマンドレルに８の字型に巻きつけた後、マンドレルから取り外せばよい。
【００２７】
図３は、引き出し口９近傍の拡大図であり、図１のＡ部拡大図である。図３(ａ)に示すように、引き出し口９は、ケーブル７と略対応した偏平形状である。なお、図では、引き出し口９の形状を略長方形としているが、本発明はこれに限られず、ケーブル７が引き出し可能であれば形状は問わない。なお、以下の説明では、引き出し口９が長方形である例について説明する。
【００２８】
引き出し口９の高さ（引き出し口９の短軸側の長さ）をＨとし、ケーブル７の幅（断面における最大径であって、偏平断面においては長軸側の幅、略矩形断面においては対角線）をＷとすると、Ｗ＞Ｈの関係を満たす。なお、厳密に回転を防止するためには、ケーブル７の断面における最も大きな幅（長方形断面形状であれば、長方形断面の対角線長さ）を長軸側の長さＬとし、この長さＬが引き出し口９の高さＨよりも長く設定されればよいが、以下の説明では、簡単のため長辺側の幅Ｗが高さＨよりも大きいとして説明する。
【００２９】
図３（ｂ）は、引き出し口９に対してケーブル７が回転した状態を示す図である。図に示すように、ケーブル７は、引き出し口９内で所定角度（図中角度Ｂ）だけ回転可能である（図中矢印Ｃ方向）。すなわち、ケーブル７の幅Ｗが高さＨよりも大きいため、ケーブル７が回転すると、ケーブル７の外周部の一部が引き出し口９の内面と接触し、それ以上の回転が規制される。
【００３０】
なお、確実にケーブル７の回転を規制するためには、ケーブル７の回転許容角度（図中角度Ｂ）を±６０°以下とすることが望ましい。すなわち、ケーブル７の引き出し口での捻じれ角度が６０°以下となるように、ケーブル７の形状（ＷまたはＬ）に対する引き出し口９の大きさ（Ｈ）を設定すればよい。６０°以下とすることで、ケーブル７の回転時に、ケーブル７の被覆部１５の一部が変形し、ケーブル７が過剰に捻じれたり、引き出し口９に挟まるということもない。なお、ケーブル束５は８の字巻きされているため、引き出し口９からケーブル７を引き出す際に、ケーブル７は常に往復方向（軸方向を回転軸として正逆方向）の捻じれを繰り返し生じながら引き出される。通常、この捻じれ角度は略±９０°以下であるため、ケーブルの捻じれ角度を±９０°以下に規制すれば、引き出し時にケーブル７に過剰な力が付与されることもなく、ケーブル７の捻じれが収容容器内に伝達されることもない。すなわち、捻じれ角度は９０°を超えることはなく、より好ましくは、±６０°以内に規制されればよい。
【００３１】
以上、本実施の形態によれば、ケーブル７を収容容器３から引き出す際にケーブル７が捻じれることがない。したがって、ケーブル７の敷設作業等において、梱包体の外部でケーブル７に捻じれが生じたとしても、ケーブル７の捻じれが収容容器３の内部には伝達されない。したがって、ケーブル７の捻じれに起因するキンクが、収容容器３の内部で発生することがなく、キンクに伴うケーブル７の引っかかりなどが生じることがない。
【００３２】
このようなキンクの発生は、前述したような断面構成を有し、ある程度の曲げ剛性を有するケーブルにおいて特に発生しやすい。したがって、本発明は、このような曲げ剛性の大きなケーブルに特に好適である。なお、引き出し口９の周囲には、引き出したケーブル７の先端を挿入可能な端部保持構造を設けたり、引き出した余長ケーブルを収容する余長ケーブル収容部を設けてもよい。
【００３３】
次に、他の実施形態について説明する。図４は、第２の実施形態を示す図である。なお、以下の説明において、図１〜図３で示した構成と同一の機能を奏する構成については、図１〜図３と同一の符号を付し、重複した説明を省略する。
【００３４】
図４（ａ）に示すように、第２の実施形態では、収容容器３に直接引き出し口９が形成されるのではなく、収容容器３には孔が形成され、収容容器３の外面側の当該孔位置に、回転体１７が形成され、回転体１７に引き出し口１８が設けられる。なお、収容容器３に形成される孔の大きさは特に規定されないが、回転体１７よりも小さければよい。また、引き出し口１８は、ケーブル７よりもわずかに大きければよい。
【００３５】
回転体１７は、引き出し口９の中心であって、ケーブル７の引き出し方向を略回転軸として回転可能である。回転体１７の外周には、一対の突起２１が回転体の径方向に突出するように設けられる。すなわち、突起２１は回転体１７とともに回転する。
【００３６】
収容容器３の外面には、ストッパ１９が設けられる。ストッパ１９は、収容容器３外面に設けられた突起である。ストッパ１９は、回転体１７の外周近傍に形成される。ストッパ１９の収容容器に対する突出代は、ストッパ１９が突起２１と接触可能となるように設定される。
【００３７】
すなわち、図４（ｂ）に示すように、回転体１７を回転させると（図中矢印Ｄ方向）、突起２１がストッパ１９と接触して回転が規制される。したがって、回転体１７は、突起２１がストッパ１９と接触しない範囲の回転角度（図中角度Ｅ）に規制される。回転体１７の回転が規制されることによって引き出し口１８の回転角度が規制される。したがって、ケーブル７の捻じれ角度が規制（例えば±６０°）される。
【００３８】
なお、回転体１７の回転角度は、突起２１の位置によって調整が可能である。また、以上の説明では、回転体１７に突起２１を設け、収容容器壁面にストッパ１９を設けることで、回転体１７の回転角度を規制する回転規制部としたが、本発明はこれに限られない。例えば、突起２１を収容容器側に配置し、ストッパ１９を回転体１７に設けてもよく、その他種々の方法で、回転体の回転角度を所定範囲内に規制できればよい。
【００３９】
第２の実施形態によれば、ケーブル７の捻じれを回転体１７の回転によって規制するため、ケーブル７の捻じれを確実に規制することができる。また、必要に応じて回転体１７の回転許容角度を調整することもできる。
【００４０】
次に、収容容器の内部構造についての他の実施形態を説明する。図５は、ケーブル梱包体３０を示す側面断面図である。前述の通り、ケーブル束５はいわゆる８の字巻きされており、引き出し口９からの引き出しに応じて、ケーブル束５から引き出されるケーブル７の引き出される方向が変化する。また、引き出し口９の大きさはケーブル７によって決定されるため、引き出し口９の大きさは、ケーブル７に対して所定以上大きくすることができない。
【００４１】
このため、引き出し口９からケーブル７を引き出すと、ケーブル７が収容容器３１内部の引き出し口９縁部に擦りつけられ、ケーブル７が損傷したり、引っかかる恐れがある。本実施形態では、収容容器３１の内部であって、引き出し口９の内部にガイド３３が設けられる。ガイド３３は、わずかに湾曲した筒状部材である。
【００４２】
ケーブル７は、ガイド３３内部に挿通されて引き出し口９から収容容器３１の外部に引き出される。この際、ガイド３３は、引き出し口９の略中心であって、ケーブル７の引き出し方向を略回転軸として回転可能である（図中矢印Ｆ方向）。すなわち、ガイド３３の一方の端部は、ケーブル束５からケーブル７が引き出される方向に向くことができ、ガイド３３の他端は、引き出し口９と対向して、引き出し口９方向にケーブル７をガイドすることが可能である。また、ガイド３３は緩やかに湾曲するため、ケーブル７を緩やかに引き出し口９方向に誘導することができる。したがって、ケーブル７が引き出し口９の内部で引っかかることがない。
【００４３】
次に、収容容器の外部構造についての他の実施形態を説明する。図６は、ケーブル梱包体４０を示す側面断面図である。前述の通り、引き出し口９はケーブル７に対して所定以上大きくできないため、敷設作業における引き出し方向によっては、ケーブル７が引き出し口９の外縁部で擦れるなどの問題がある。したがって、ケーブル梱包体４０では、収容容器４１の外面であって、引き出し口９の外方に可撓管４３が設けられる。可撓管４３は、例えば樹脂製の可撓管である。可撓管４３は、可撓管４３の軸方向が引き出し口９の開口方向（ケーブル７の引き出し方向）に一致するように配置される。
【００４４】
引き出し口９から引き出されたケーブル７は可撓管４３の内部に挿通されて梱包体の外部に導出される。この際、ケーブル７が引き出し口９の開口方向に対して横方向に引き出されたとしても、可撓管４３がケーブル７の引き出し方向に応じて円弧状に変形して追従する。したがって、ケーブル７の引き出し方向に依らず、ケーブル７に対する負荷を軽減することができる。
【００４５】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００４６】
例えば、上述した各実施形態は当然に組み合わせることが可能である。回転体１７と可撓管４３を組み合わせる場合には、可撓管４３は収容容器ではなく回転体１７に設けられれば良い。
【符号の説明】
【００４７】
１、３０、４０………ケーブル梱包体
３、３１、４１………収容容器
５………ケーブル束
７………ケーブル
９………引き出し口
１１………光ファイバ心線
１３………テンションメンバ
１５………被覆部
１７………回転体
１８………引き出し口
１９………ストッパ
２１………突起
３３………ガイド
４３………可撓管
【図１】
2012096827.tif 000003
【図２】
2012096827.tif 000004
【図３】
2012096827.tif 000005
【図４】
2012096827.tif 000006
【図５】
2012096827.tif 000007
【図６】
2012096827.tif 000008